【手続補正書】
【提出日】平成18年2月16日(2006.2.16)
【手続補正１】
【補正対象書類名】明細書
【補正対象項目名】発明の名称
【補正方法】変更
【補正の内容】
【発明の名称】通信アダプタおよび携帯型電子機器
【手続補正２】
【補正対象書類名】明細書
【補正対象項目名】特許請求の範囲
【補正方法】変更
【補正の内容】
【特許請求の範囲】
【請求項１】  プリント配線板と、
前記プリント配線板上に配置された電子回路と、
前記プリント配線板上に配置され、前記電子回路を覆うことにより前記電子回路をシールドするシールド部材と、
前記プリント配線板上に配置され、前記シールド部材に接地されるアンテナエレメントと、
コネクタ接続端子部と、を備え、
前記コネクタ接続端子部は、前記プリント配線板に対し、前記アンテナエレメントを構成するアンテナエレメント本体の延在方向側に配置される、
ことを特徴とする通信アダプタ。
【請求項２】  請求項１記載の通信アダプタにおいて、
前記アンテナエレメントは、給電端子を備え、
前記アンテナエレメント本体と前記給電端子とは共働して逆Ｆアンテナとして機能することを特徴とする通信アダプタ。
【請求項３】  請求項１または請求項２に記載の通信アダプタにおいて、
前記プリント配線板上に形成され、前記シールド部材に電気的に接続されたグランドパターンを備えたことを特徴とする通信アダプタ。
【請求項４】  請求項１ないし請求項３のいずれかに記載の通信アダプタにおいて、
前記シールド部材と前記アンテナエレメントとは、一体に形成されていることを特徴とする通信アダプタ。
【請求項５】  請求項１ないし請求項３のいずれかに記載の通信アダプタにおいて、
前記アンテナエレメントは、前記プリント配線板上に配線パターンとして形成されていることを特徴とする通信アダプタ。
【請求項６】  請求項１ないし請求項５のいずれかに記載の通信アダプタにおいて、
前記シールド部材は、前記プリント配線板上に形成されたグランドパターンに電気的に接続され、前記グランドパターンの前記アンテナエレメント本体の延在方向と直交する方向の長さは、通信に用いられる信号の４分の１波長と略同一とされていることを特徴とする通信アダプタ。
【請求項７】  請求項１ないし請求項６のいずれかに記載の通信アダプタを備えたことを特徴とする携帯型電子機器。
【請求項８】  請求項７記載の携帯型電子機器において、
当該携帯型電子機器は、腕時計型に形成されていることを特徴とする携帯型電子機器。
【手続補正３】
【補正対象書類名】明細書
【補正対象項目名】０００１
【補正方法】変更
【補正の内容】
【０００１】
【発明の属する技術分野】
本発明は、通信アダプタおよび携帯型電子機器に係り、特に高周波無線機器として用いられるアンテナ装置、プリント基板、通信アダプタおよび携帯型電子機器に関する。
【手続補正４】
【補正対象書類名】明細書
【補正対象項目名】０００３
【補正方法】変更
【補正の内容】
【０００３】
【発明が解決しようとする課題】
上記従来のヘリカルダイポールアンテナは、原理的にそのサイズが大きくなり、腕時計サイズの携帯機器など、さらに小型化が要求される機器に対しては、適用しがたいという問題点があった。
また、逆Ｆアンテナは、アンテナエレメントとグランド板（接地板）とが所定の物理的配置をとることにより機能を発揮できる構造となっており、配置上の自由度が乏しい。さらに、グランド板の面積は逆Ｆアンテナの特性を左右しており、面積を低減させると特性が劣化する。このため、装置の小型化などの要求に伴い、プリント配線板の面積を小さくすべく、部品の実装密度をあげる必要が生じた場合には、部品の実装面積によってプリント配線板の面積を消費してしまい、グランド板の面積を確保することができず、逆Ｆアンテナとして所望の特性が得られなくなってしまうという問題点があった。
また、セラミックのチップアンテナは、チップアンテナ自身は面実装可能な程度の大きさである。しかしながら、チップアンテナの実装時においては、アンテナの所望の特性を得るためにグランド面積を大きく確保する必要があり、周辺回路およびグランドを含んだアンテナ装置全体としては、大きくなってしまうという問題点があった。さらにチップアンテナは高価であるという問題点もあった。
そこで、本発明の目的は、アンテナの特性（特に感度）を確保しつつ、回路全体の実装密度の向上、プリント配線板の小型化ひいては装置の小型化を図ることが可能な通信アダプタおよび携帯型電子機器を提供することにある。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
【課題を解決するための手段】
また、通信アダプタは、プリント配線板と、前記プリント配線板上に配置された電子回路と、前記プリント配線板上に配置され、前記電子回路を覆うことにより前記電子回路をシールドするシールド部材と、前記プリント配線板上に配置され、前記シールド部材に接地されるアンテナエレメントと、コネクタ接続端子部と、を備え、前記コネクタ接続端子部は、前記プリント配線板に対し、前記アンテナエレメントを構成するアンテナエレメント本体の延在方向側に配置されることを特徴としている。
【手続補正７】
【補正対象書類名】明細書
【補正対象項目名】０００６
【補正方法】変更
【補正の内容】
【０００６】
この場合において、前記アンテナエレメントは、給電端子を備え、前記アンテナエレメント本体と前記給電端子とは共働して逆Ｆアンテナとして機能するようにしてもよい。
また、前記プリント配線板上に形成され、前記シールド部材に電気的に接続されたグランドパターンを備えるようにしてもよい。
さらに、前記シールド部材と前記アンテナエレメントとは、一体に形成されているようにしてもよい。
さらにまた、前記アンテナエレメントは、前記プリント配線板上に配線パターンとして形成されているようにしてもよい。
また、前記シールド部材は、前記プリント配線板上に形成されたグランドパターンに電気的に接続され、前記グランドパターンの前記アンテナエレメント本体の延在方向と直交する方向の長さは、通信に用いられる信号の４分の１波長と略同一とされているようにしてもよい。
また、携帯型電子機器は、上記いずれかの通信アダプタを備えたことを特徴としている。
この場合において、当該携帯型電子機器は、腕時計型に形成されているようにしてもよい。
【手続補正８】
【補正対象書類名】明細書
【補正対象項目名】００２３
【補正方法】変更
【補正の内容】
【００２３】
本第３実施形態においても、上記各実施形態と同様に、回路部品３４等の回路部品及び配線パターンを電磁的にシールドするために接地されているシールド部材３３をアンテナエレメント３２のグランドとして用いているので、回路部品３４等の回路部品及び配線パターンの配置状態に拘わらず、グランド面積を確保する事が可能となり、プリント配線板３１上に十分な面積のグランドパターンを形成できない場合であっても、十分なグランド面積を確保することが可能となる。
さらに本第３実施形態によれば、アンテナエレメント３２をプリント配線としてプリント配線板の作成時に設けることができるので、製造工程の簡略化が可能となる。
以上の第１実施形態ないし第３実施形態を総括すると、アンテナ装置の第１の態様は、電子回路を覆うことにより前記電子回路をシールドするシールド部材と、前記シールド部材に接地されるアンテナエレメントと、を備えたことを特徴としている。
また、第２の態様は、第１の態様において、前記アンテナエレメントは、アンテナエレメント本体と、給電端子と、を備え、前記アンテナエレメント本体と前記給電端子とは共働して逆Ｆアンテナとして機能するようにしてもよい。
また、第３の態様は、第１の態様あるいは第２の態様において、前記シールド部材と前記アンテナエレメントとは、一体に形成されているようにしてもよい。
また、プリント基板の第１の態様は、プリント配線板と、前記プリント配線板上に配置された電子回路と、前記プリント配線板上に配置され、前記電子回路を覆うことにより前記電子回路をシールドするシールド部材と、前記プリント配線板上に配置され、前記シールド部材に接地されるアンテナエレメントと、を備えたことを特徴としている。
また、第２の態様のプリント基板は、第１の態様のプリント基板において、前記アンテナエレメントは、アンテナエレメント本体と、給電端子と、を備え、前記アンテナエレメント本体と前記給電端子とは共働して逆Ｆアンテナとして機能するようにしてもよい。
また、第３の態様のプリント基板は、第１の態様または第２の態様のプリント基板において、前記プリント配線板上に形成され、前記シールド部材に電気的に接続されたグランドパターンを備えるようにしてもよい。
また、第４の態様のプリント基板は、第１ないし第３の態様のプリント基板において、さらに前記シールド部材と前記アンテナエレメントとは、一体に形成されているようにしてもよい。
さらにまた、第５の態様のプリント基板は、第１ないし第３の態様のプリント基板において、前記アンテナエレメントは、前記プリント配線板上に配線パターンとして形成されているようにしてもよい。